(57)【要約】【課題】  実現可能であり有用な衣類の選択結果を得ることができる衣類選択システムを提供する。【解決手段】  衣類選択システム１は、ユーザが有する衣類の製品特性を示す情報と、衣類が着用可能な状態であるか否かを示す情報と、が含まれる衣類データを記録するデータベース１４と、データベース１４に記録されている衣類データに基づいて、選択対象期間中にユーザが着用するべき衣類を選択する衣類選択部１５と、を備える。衣類選択部１５は、選択対象期間中の場面に製品特性が適合しており、かつ、選択対象期間中に着用可能な状態である衣類を選択する。【選択図】  図１
2014164454.tif 000002
【特許請求の範囲】
【請求項１】
ユーザが有する衣類の製品特性を示す情報と、前記衣類が着用可能な状態であるか否かを示す情報と、が含まれる衣類データを記録するデータベースと、
前記データベースに記録されている前記衣類データに基づいて、選択対象期間中に前記ユーザが着用するべき前記衣類を選択する衣類選択部と、を備え、
前記衣類選択部は、前記選択対象期間中の場面に前記製品特性が適合しており、かつ、前記選択対象期間中に着用可能な状態となる前記衣類を選択することを特徴とする衣類選択システム。
【請求項２】
前記衣類データに含まれる、前記衣類が着用可能な状態であるか否かを示す情報の少なくとも一部が、前記衣類の洗濯状況を示す情報であることを特徴とする請求項１に記載の衣類選択システム。
【請求項３】
前記データベースが、前記ユーザが行う予定のイベントを示す情報が含まれるスケジュールデータを記録しており、
前記衣類選択部は、前記データベースに記録されている前記衣類データ及び前記スケジュールデータに基づいて、前記選択対象期間中に前記ユーザが着用するべき前記衣類を選択するものであり、
前記衣類選択部は、前記選択対象期間中に行われる前記イベントが分類される場面に製品特性が適合した前記衣類を選択することを特徴とする請求項１または２に記載の衣類選択システム。
【請求項４】
前記衣類選択部は、１つの前記選択対象期間中に複数の前記イベントが行われる場合、当該イベントが分類されるそれぞれの場面の中で、最も優先度が高い場面に製品特性が適合する前記衣類を選択することを特徴とする請求項３に記載の衣類選択システム。
【請求項５】
前記スケジュールデータに、前記ユーザが会う予定の相手を示す情報が含まれ、
前記データベースが、前記ユーザが会った相手を示す情報と、当該相手と会ったときに前記ユーザが着用していた前記衣類を示す情報と、のそれぞれが含まれる選択履歴データを記録しており、
前記衣類選択部は、前記データベースに記録されている前記衣類データ、前記スケジュールデータ及び前記選択履歴データに基づいて、前記選択対象期間中に前記ユーザが着用するべき前記衣類を選択するものであり、
前記ユーザが、前記選択対象期間中に会う予定の相手と、前記選択対象期間よりも前の第１期間中に会っていたとき、前記衣類選択部は、そのときに前記ユーザが着用していなかった前記衣類を選択することを特徴とする請求項３または４に記載の衣類選択システム。
【請求項６】
前記選択対象期間は、前記ユーザが自宅を出てから帰宅するまでの期間であることを特徴とする請求項１〜５のいずれか１項に記載の衣類選択システム。
【請求項７】
前記衣類選択部は、前記選択対象期間よりも後の第２期間中に前記ユーザが着用するべき前記衣類を選択し、当該衣類を除いた上で前記選択対象期間中に着用するべき前記衣類を選択することを特徴とする請求項１〜６のいずれか１項に記載の衣類選択システム。
【請求項８】
前記衣類データが、前記衣類に付けられたタグを所定の読取装置で読み取って得られる情報に基づいて生成されていることを特徴とする請求項１〜７のいずれか１項に記載の衣類選択システム。
【発明の詳細な説明】
【技術分野】
【０００１】
本発明は、場面に適合した服装となるように衣類を選択する衣類選択システムに関する。なお、本願において衣類とは、人が身に付けるもの全般を指し、衣服に限られず靴や帽子等も当然に含まれ得る。
【背景技術】
【０００２】
服装は、人の印象を決定付ける重要な要素である。そのため、円滑かつ充実した人生を送るためには、常に場面に適合した服装となるように、衣類を選択する必要がある。
【０００３】
しかし、服装に関するセンスが無い人や、服装に対する関心が薄い人など、衣類の選択が苦手な人がいる。また、優柔不断な性格であるために、衣類を選択するまでに多大な時間を要する人がいる。
【０００４】
そこで、例えば特許文献１では、事前に衣類の画像及び種別（「セーター」、「トレーニングウェア」など）をデータベースに登録しておき、気候及びユーザの行動内容（「スポーツ」、「パーティー」などのイベント）に適合した衣類を選択するとともに、当該衣類の画像をユーザに対して提示するコーディネートサービス方法が提案されている。
【先行技術文献】
【特許文献】
【０００５】
【特許文献１】特開２００２−２１５７７０号公報
【発明の概要】
【発明が解決しようとする課題】
【０００６】
しかしながら、特許文献１で提案されているコーディネートサービス方法では、衣類の種別にのみに着目して選択が行われるため、現実には着用が不可能な状態の衣類が選択されることがある。この場合、ユーザが得た衣類の選択結果は、実現することができない無用かつ無意味なものとなってしまう。
【０００７】
例えば、衣類（特に、衣服）には洗濯が必要不可欠であるが、衣類を洗濯する場合、一定期間は当該衣類の着用が不可能な状態になる。具体的に例えば、衣類の洗濯を洗濯業者（クリーニング業者）に依頼する場合、当該衣類は洗濯業者に預けられ、ユーザの手元から無くなるため、着用が不可能な状態となる。また例えば、衣類を自宅の洗濯機を用いて洗濯する場合、当該衣類を洗浄及び乾燥している間は、当該衣類の着用が不可能な状態となる。
【０００８】
また例えば、衣類は着用回数または洗濯回数を重ねる毎に劣化していくため、劣化した衣類は、特定の場面に対しては着用が不可能（不適切）な状態になる。具体的に例えば、お見合いやパーティーなどの華美な服装をしなければならない場面に対しては、着古してくたびれた状態の衣類や、シミが着くなどして汚れた状態の衣類は、着用が不可能（不適切）な状態となる。
【０００９】
そこで、本発明は、実現可能であり有用な衣類の選択結果を得ることができる衣類選択システムを提案する。
【課題を解決するための手段】
【００１０】
上記目的を達成するため、本発明は、ユーザが有する衣類の製品特性を示す情報と、前記衣類が着用可能な状態であるか否かを示す情報と、が含まれる衣類データを記録するデータベースと、前記データベースに記録されている前記衣類データに基づいて、選択対象期間中に前記ユーザが着用するべき前記衣類を選択する衣類選択部と、を備え、前記衣類選択部は、前記選択対象期間中の場面に前記製品特性が適合しており、かつ、前記選択対象期間中に着用可能な状態となる前記衣類を選択することを特徴とする衣類選択システムを提供する。
【００１１】
この衣類選択システムによれば、選択対象期間において着用可能な状態の衣類を選択することができる。
【００１２】
さらに、上記特徴の衣類選択システムにおいて、前記衣類データに含まれる、前記衣類が着用可能な状態であるか否かを示す情報の少なくとも一部が、前記衣類の洗濯状況を示す情報であると、好ましい。
【００１３】
この衣類選択システムによれば、衣類において必要不可欠な洗濯によって着用不可能な状態になることまで考慮して、衣類を選択することができる。
【００１４】
さらに、上記特徴の衣類選択システムにおいて、前記データベースが、前記ユーザが行う予定のイベントを示す情報が含まれるスケジュールデータを記録しており、前記衣類選択部は、前記データベースに記録されている前記衣類データ及び前記スケジュールデータに基づいて、前記選択対象期間中に前記ユーザが着用するべき前記衣類を選択するものであり、前記衣類選択部は、前記選択対象期間中に行われる前記イベントが分類される場面に製品特性が適合した前記衣類を選択すると、好ましい。
【００１５】
この衣類選択システムによれば、選択対象期間中のイベントに適合した衣類を選択することができる。
【００１６】
さらに、上記特徴の衣類選択システムにおいて、前記衣類選択部は、１つの前記選択対象期間中に複数の前記イベントが行われる場合、当該イベントが分類されるそれぞれの場面の中で、最も優先度が高い場面に製品特性が適合する前記衣類を選択すると、好ましい。
【００１７】
この衣類選択システムによれば、実質的に選択対象期間の全体に適合した衣類を選択することができる。
【００１８】
さらに、上記特徴の衣類選択システムにおいて、前記スケジュールデータに、前記ユーザが会う予定の相手を示す情報が含まれ、前記データベースが、前記ユーザが会った相手を示す情報と、当該相手と会ったときに前記ユーザが着用していた前記衣類を示す情報と、のそれぞれが含まれる選択履歴データを記録しており、前記衣類選択部は、前記データベースに記録されている前記衣類データ、前記スケジュールデータ及び前記選択履歴データに基づいて、前記選択対象期間中に前記ユーザが着用するべき前記衣類を選択するものであり、前記ユーザが、前記選択対象期間中に会う予定の相手と、前記選択対象期間よりも前の第１期間中に会っていたとき、前記衣類選択部は、そのときに前記ユーザが着用していなかった前記衣類を選択すると、好ましい。
【００１９】
この衣類選択システムによれば、特定の相手と会うときに、いつも同じ服装であるという事態が発生することを、防止することができる。
【００２０】
さらに、上記特徴の衣類選択システムにおいて、前記選択対象期間は、前記ユーザが自宅を出てから帰宅するまでの期間であると、好ましい。
【００２１】
この衣類選択システムによれば、現実にユーザが同じ衣類を継続して着用する期間について衣類の選択を行うことができる。
【００２２】
さらに、上記特徴の衣類選択システムにおいて、前記衣類選択部は、前記選択対象期間よりも後の第２期間中に前記ユーザが着用するべき前記衣類を選択し、当該衣類を除いた上で前記選択対象期間中に着用するべき前記衣類を選択すると、好ましい。
【００２３】
この衣類選択システムによれば、選択対象期間中にユーザが着用するべき衣類を衣類選択部が選択することによって、当該選択対象期間後の第２期間中にユーザが着用するべき衣類を衣類選択部が選択することが不可能になることを、防止することができる。
【００２４】
さらに、上記特徴の衣類選択システムにおいて、前記衣類データが、前記衣類に付けられたタグを所定の読取装置で読み取って得られる情報に基づいて生成されていると、好ましい。
【００２５】
この衣類選択システムによれば、衣類データを生成するために必要となる情報を、容易かつ迅速に行うことができる。
【発明の効果】
【００２６】
上記特徴の衣類選択システムによれば、選択対象期間において着用可能な状態の衣類を選択するため、実現可能であり有用な衣類の選択結果を得ることができる。
【図面の簡単な説明】
【００２７】
【図１】本発明の実施形態に係る衣類選択システムの構成の一例を示すブロック図。
【図２】衣類データの一例を示す図。
【図３】気象データの一例を示す図。
【図４】スケジュールデータの一例を示す図。
【図５】選択履歴データの一例を示す図。
【図６】本発明の実施形態に係る衣類選択システムにおける衣類選択部の動作の一例を示すフローチャート。
【発明を実施するための形態】
【００２８】
以下、本発明の実施形態に係る衣類選択システムについて、図面を参照して説明する。なお、以下では説明の具体化のため、本発明の実施形態として、一人のユーザが着用するべき衣類を選択する衣類選択システムについて例示する。
【００２９】
＜衣類選択システムの構成＞
最初に、本発明の実施形態に係る衣類選択システムの構成の一例について、図１を参照して説明する。図１は、本発明の実施形態に係る衣類選択システムの構成の一例を示すブロック図である。
【００３０】
図１に示すように、本発明の実施形態に係る衣類選択システム１は、気象データ生成部１１と、衣類データ生成部１２と、スケジュールデータ生成部１３と、データベース１４と、衣類選択部１５と、出力部１６と、を備える。
【００３１】
気象データ生成部１１は、例えば、ネットワーク等を介して官公庁等から気象情報を取得することで気象データを生成するものであり、ネットワーク等に接続する通信装置と、取得した気象情報を用いて気象データを生成するＣＰＵ（Central Processing Unit）等の演算装置と、から成る。また、気象情報とは、気象（例えば、天気、気温、湿度など）の予報を示すデータである。
【００３２】
衣類データ生成部１２は、例えば、製品情報及び洗濯情報を取得することで衣類データを生成するものであり、製品情報及び洗濯情報を取得する情報取得装置と、取得した製品情報及び洗濯情報を用いて衣類データを生成するＣＰＵ等の演算装置と、から成る。
【００３３】
製品情報とは、衣類の固有の製品特性を示す情報である。具体的に例えば、製品情報とは、衣類の種別や素材などを示す情報である。一方、洗濯情報とは、衣類の洗濯状況を示す情報である。具体的に例えば、洗濯情報とは、洗濯中、洗濯業者依頼中、着用可能などの洗濯に関する状況を示す情報である。
【００３４】
例えば、製品情報及び洗濯情報は、タッチパネルやキーボードなどの入力装置をユーザが操作することで作成されて、衣類データ生成部１２に入力される。
【００３５】
また例えば、製品情報及び洗濯情報は、衣類に付けられたタグを読取装置が読み取る（例えば、タグに印刷されたバーコードや二次元コードなどのパターンをスキャナで光学的に読み取る、タグに埋め込まれた半導体チップと通信装置が近接通信する）ことによって、衣類データ生成部１２に入力される。タグは、衣類メーカが作製して出荷前の衣類に付けるものであってもよいし、ユーザが作製して購入後の衣類に付けるものであってもよいし、衣類メーカ及びユーザの双方が作製して衣類に付けるものであってもよい。
【００３６】
このように、製品情報及び洗濯情報の入力を、タグを読取装置で読み取ることによって行うと、製品情報及び洗濯情報の入力を容易かつ迅速に行うことができるため、好ましい。なお、製品情報及び洗濯情報の一部の入力についてはタグを読取装置で読み取ることで行い、残部の入力についてはユーザが入力装置を操作することで行なってもよい。
【００３７】
タグを読取装置で読み取ることによって製品情報を入力する場合、衣類データ生成部１２は、入力された製品情報を追加した衣類データを生成する。これにより、当該タグが付けられた衣類が、衣類選択システム１に登録される。
【００３８】
一方、タグを読取装置で読み取ることによって洗濯情報を入力する場合、当該タグを読み取った読取装置の場所に応じた内容の洗濯情報が、衣類データ生成部１２に入力されるようにしてもよい。
【００３９】
具体的に例えば、ユーザが、洗濯機（または乾燥機）と一体的に設けられた読取装置でタグを読み取ると、当該タグが付けられた衣類が洗濯中（または乾燥中）であることを示す洗濯情報が、衣類データ生成部１２に入力されるようにしてもよい。なお、洗濯乾燥機と一体的に読取装置が設けられている場合は、洗濯乾燥機の運転モード（洗濯モード、乾燥モード、洗濯乾燥モード）に連動した選択情報（洗濯中、乾燥中、洗濯乾燥中）が、衣類データ生成部１２に入力されるようにしてもよいし、ユーザが読取装置に所定の操作をすることで選択した洗濯情報（洗濯中、乾燥中、洗濯乾燥中）が、衣類データ生成部１２に入力されるようにしてもよい。
【００４０】
また例えば、洗濯業者の店舗（取次店）において、店員が、ユーザが持ち込んだ衣類のタグを読取装置で読み取ることで、当該タグが付けられた衣類が洗濯業者依頼中であることを示す洗濯情報が、衣類データ生成部１２に入力されるようにしてもよい。
【００４１】
また例えば、ユーザが、収納家具と一体的に設けられた読取装置でタグを読み取ることで、当該タグが付けられた衣類が着用可能であることを示す洗濯情報が、衣類データ生成部１２に入力されるようにしてもよい。
【００４２】
一方、ユーザが読取装置を操作することで、衣類データ生成部１２に入力する洗濯情報の内容を決定してもよい。
【００４３】
具体的に例えば、ユーザが、読取装置の読取モードを「洗濯中」に設定した後にタグを読み取ると、当該タグが付けられた衣類が洗濯中であることを示す洗濯情報が、衣類データ生成部１２に入力されるようにしてもよい。同様に、「乾燥中」、「洗濯乾燥中」、「洗濯業者依頼中」、「着用可能」などの読取モードを設定した後にタグを読み取ると、当該タグが付けられた衣類が読取りモードに応じた状況であることを示す洗濯情報が、衣類データ生成部１２に入力されるようにしてもよい。
【００４４】
スケジュールデータ生成部１３は、例えば、ネットワーク等を介してサーバ等からスケジュール情報を取得することでスケジュールデータを生成するものであり、ネットワーク等に接続する通信装置と、取得したスケジュール情報を用いてスケジュールデータを生成するＣＰＵ等の演算装置と、から成る。また、スケジュール情報とは、ユーザが行う予定のイベントを示す情報であり、当該イベントで会う相手を示す情報も含まれている。
【００４５】
データベース１４は、種々のデータを記録する記録装置である。具体的に、データベース１４は、気象データ生成部１１が生成する気象データ、衣類データ生成部１２が生成する衣類データ、スケジュールデータ生成部１３が生成するスケジュールデータを記録する。また、データベース１４は、衣類選択部１５による衣類の選択履歴を示す選択履歴データも記録する。
【００４６】
衣類選択部１５は、データベース１４が記録するデータを用いて、対象の期間（以下、選択対象期間という）にユーザが着用するべき衣類を選択する。ここで、選択対象期間を、ユーザが自宅を出てから帰宅するまでの期間とすると、現実にユーザが同じ衣類を継続して着用する期間について衣類の選択を行うことができるため、好ましい。
【００４７】
そして、衣類選択部１５は、この選択した衣類を示す選択衣類データを生成して、出力部１６に入力する。また、衣類選択部１５は、選択した衣類を示す情報と、当該選択を行った際の条件を示す情報と、のそれぞれを追加した選択履歴データ生成して、データベース１４に入力する。
【００４８】
出力部１６は、例えば画像や音声等のユーザが知覚可能な形式でデータを出力する出力装置から成り、衣類選択部１５が生成した選択衣類データを出力することで、衣類選択部１５が選択した衣類をユーザに対して報知する。
【００４９】
具体的に例えば、出力部１６は、ディスプレイ等の表示装置から成り、ユーザが着用すべき衣類の名称や識別記号、画像などを表示する。なお、衣類の画像は、製品情報の一部を成すものであり、衣類メーカが作製したタグを読取装置で読み取ることで衣類データ生成部１２に入力されるものであってもよいし、ユーザがデジタルカメラ等で撮像することで作成されて衣類データ生成部１２に入力されるものであってもよいし、ネットワーク等を介して外部（例えば、衣類メーカのホームページなど）から取得されて衣類データ生成部１２に入力されるものであってもよい。
【００５０】
衣類選択システム１の各処理は、コンピュータのハードウェア資源（ＣＰＵや各種記憶装置等）及びソフトウェア資源（ＯＳ：Operating System、各種ドライバ等）を使用した演算処理によって行われる。さらに、かかる演算処理は、ＣＰＵによりその実行が制御されるプログラムを実行することによって、ソフトウェア的に実現される。
【００５１】
＜衣類の選択において用いられるデータ＞
次に、衣類選択部１５による衣類の選択において用いられるデータの一例について、図面を参照して説明する。図２は、衣類データの一例を示す図である。図３は、気象データの一例を示す図である。図４は、スケジュールデータの一例を示す図である。図５は、選択履歴データの一例を示す図である。なお、図２〜図５に示すデータにおいて、複数の値が該当するデータ欄については、コンマ（，）で区切って表示している。
【００５２】
図２に例示する衣類データには、［半袖Ｔシャツ］や［シャツ］などの衣類の「種別」と、同じ「種別」の衣類を区別するための識別番号である「ＮＯ．」と、［綿］や［麻］などの衣類の主たる「素材」と、［赤］や［白］などの衣類の主たる「色」と、［チェック］や［ドット］などの衣類の「柄」と、［春］や［夏］などの衣類を着用すべき「季節」と、［パブリック］や［フォーマル］などの衣類を着用すべき「場面」と、［洗濯中］や［着用可能］などの衣類の「状態」と、の情報が含まれている。なお、これらの情報の他に、例えば、衣類が衣類データに追加された日である「登録日」や、ユーザが衣類を着用した回数である「着用回数」、１年間などの所定の期間中にユーザが衣類を着用した回数である「着用頻度」などが衣類データに含まれていてもよい。
【００５３】
「種別」、「素材」、「色」、「柄」、「季節」及び「場面」は、製品情報に含まれる情報である。なお、「場面」の情報が、衣類データ生成部１２に入力される製品情報に含まれず、衣類データ生成部１２が生成するものであってもよい。具体的に例えば、衣類データ生成部１２が、入力される製品情報に含まれる「種別」、「素材」、「色」及び「柄」などの衣類の製品特性を示す情報に基づいて、当該衣類の着用に適した「場面」を示す情報を生成してもよい。同様に、「季節」の情報が、衣類データ生成部１２に入力される製品情報に含まれず、衣類データ生成部１２が生成するものであってもよい。具体的に例えば、衣類データ生成部１２が、入力される製品情報に含まれる「種別」及び「素材」などの衣類の製品特性を示す情報に基づいて、当該衣類の着用に適した「季節」を示す情報を生成してもよい。また、「ＮＯ．」の情報は、衣類データ生成部１２が、衣類データに製品情報を追加する際に、順番に番号を割り当てることで生成してもよい。
【００５４】
また、「状態」は、洗濯情報に含まれる情報である。なお、「状態」は、主として衣類の洗濯状況を示す情報であるが、衣類の他の状況を示す情報を含み得る。具体的に例えば、図２に例示する衣類データでは、［シャツ］の［１］の衣類の「状態」が、［劣化］（くたびれている状態、シミが着いている状態など）となっている。例えばこの場合、衣類データ生成部１２が、選択履歴データを参照して着用回数が所定回数を超えていることを確認した衣類の「状態」を［劣化］としてもよいし、入力される洗濯情報に基づいて計数した洗濯回数が所定回数を超えた衣類の「状態」を［劣化］としてもよい。また例えば、衣類データ生成部１２が、ユーザが入力装置等を介して劣化した旨を入力してきた衣類の「状態」を［劣化］としてもよい。
【００５５】
図３に例示する気象データには、［大阪］や［神戸］などの「場所」と、［９：００〜１２：００］や［１２：００〜１５：００］などの「時間」と、［晴れ］や［曇り］などの「天気」と、［２０℃］や［２４℃］などの「気温」と、［３０％］や［４０％］などの「湿度」と、の情報が含まれる。なお、「場所」、「時間」、「天気」、「気温」及び「湿度」は、気象情報に含まれる情報である。
【００５６】
図４に例示するスケジュールデータには、［１１／２］や［１１／３］などの「日付」と、［９：００〜１２：００］や［９：００〜１７：３０］などの「時間」と、［移動］や［来客］などのユーザが行う予定の「イベント」と、［電車］や［徒歩］などのイベントにおいて使用する「移動手段」と、［Ｘ社のＹ］や［Ｔ］などのイベントにおいて会う「相手」と、［パブリック］や［フォーマル］などのイベントを分類した「場面」と、の情報が含まれる。
【００５７】
「日付」、「時間」、「イベント」、「移動手段」、「相手」及び「場面」は、スケジュール情報に含まれる情報である。なお、「場面」の情報については、スケジュールデータ生成部１３に入力されるスケジュール情報に含まれず、スケジュールデータ生成部１３が生成するものであってもよい。具体的に例えば、スケジュールデータ生成部１３が、入力されるスケジュール情報に含まれる「イベント」や「相手」などの情報に基づいて、当該「イベント」の社会的な意義に合った「場面」の情報を生成してもよい。
【００５８】
衣類データにおける「場面」と、スケジュールデータにおける「場面」と、は分類方法が同じ（分類肢が同じ）ものである。したがって、スケジュールデータ中のある「イベント」に適合する衣類（着用が好ましい衣類）とは、当該ある「イベント」が分類される「場面」に対して、衣類データ中の「場面」が一致している衣類である。
【００５９】
図５に例示する選択履歴データには、［Ｘ社のＹ］や［Ｔ］などの「相手」と、［１０／２７］や［１０／３０］などの「日付」と、［晴れ］や［曇り］などの「天気」と、［パブリック］や［フォーマル］などの「場面」と、衣類選択部１５が選択した１または複数の衣類から成る「服装」と、の情報が含まれている。
【００６０】
選択履歴データは、衣類選択部１５による過去の衣類の選択結果（衣類データの「種別」及び「ＮＯ．」）と、その選択を行ったときの条件である各種データの要部（図５に示す例では、スケジュールデータの「日付」、「相手」及び「場面」、気象データの「天気」）と、を組み合わせたものとなる。
【００６１】
＜衣類の選択方法＞
次に、衣類選択部１５による衣類の選択方法の一例について、図面を参照して説明する。図６は、本発明の実施形態に係る衣類選択システムにおける衣類選択部の動作の一例を示すフローチャートである。
【００６２】
図６に示すように、最初に、衣類選択部１５は、上述した衣類データ、気象データ、スケジュールデータ及び選択履歴データを、データベース１４から取得する（ステップ＃１）。そして、衣類選択部１５は、衣類データ中の全ての衣類を、選択候補として設定する（ステップ＃２）。
【００６３】
次に、衣類選択部１５は、衣類データを参照して、選択対象期間において［着用可能］な「状態」の衣類を選択候補に残し、それ以外の衣類を選択候補から除外する（ステップ＃３）。
【００６４】
具体的に例えば、衣類選択部１５は、図２に例示する衣類データにおいて、［洗濯中］、［乾燥中］及び［洗濯業者依頼中］の「状態」となっている衣類を、選択候補から除外する。
【００６５】
ここで、［劣化］の「状態」の衣類については、本来予定している「場面」（例えば［パーティー］）では［着用可能］な「状態」ではないため、この時点で選択候補から除外してもよい。ただし、［劣化］の「状態」の衣類であっても、他の「場面」（例えば［パブリック］や［プライベート］）では［着用可能］な「状態」である。そこで、当該他の「場面」に対して［着用可能］な「状態」の衣類として扱うことで、当該［劣化］の「状態」の衣類を選択候補に残してもよい。また、衣類選択部１５が図６に示す動作を行う前に、衣類データ生成部１２が、［劣化］の「状態」の衣類については、その着用すべき「場面」を変更（例えば、後述する優先度が低くなる方向に「場面」を変更）しておいてもよい。
【００６６】
次に、衣類選択部１５は、気象データを参照して、選択対象期間中の気象データに含まれる各種情報に適合する衣類を選択候補に残し、それ以外の衣類を選択候補から除外する（ステップ＃４）。
【００６７】
具体的に例えば、衣類選択部１５は、図３に例示する気象データを参照して、選択対象期間中の「気温」が［２０℃］前後で肌寒いことを確認すると、「季節」が［夏］である［半袖ポロシャツ］の［１］及び［２］を選択候補から除外する。このとき、衣類選択部１５が、スケジュールデータを参照することで、選択対象期間中におけるユーザの位置を確認して、気象データ中の当該位置における気象の情報を参照すると、好ましい。
【００６８】
次に、衣類選択部１５は、スケジュールデータを参照して、選択対象期間中に行われる「イベント」が分類される「場面」に適合する衣類を選択候補に残し、それ以外の衣類を選択候補から除外する（ステップ＃５）。このとき、衣類選択部１５が、選択対象期間中に行われる「イベント」が分類される「場面」の中で、最も優先度が高い「場面」に適合する衣類を選択候補に残し、それ以外の衣類を選択候補から除外するようにすると、実質的に選択対象期間の全体に適合した衣類を選択することができるため、好ましい。
【００６９】
具体的に例えば、図４に例示するスケジュールデータにおいて、［１１／２］の自宅を出てから帰宅するまでの期間（８：３０〜２１：００）が選択対象期間であり、当該選択対象期間中の「場面」の中で最も優先度が高い「場面」が［フォーマル］である場合を想定する。この場合、衣類選択部１５は、［フォーマル］に適合する衣類（図２の衣類データにおいて、「場面」に［フォーマル］が含まれている衣類）を選択候補に残し、それ以外を選択候補から除外する。
【００７０】
このとき、服装の制限が厳しい「場面」ほど、優先度が高くなるように設定されていると、好ましい。これは、服装の制限が緩い「場面」を正装で過ごすことは、社会生活上問題にならないが、これとは逆に、服装の制限が厳しい「場面」を略装で過ごすことは、社会生活上大きな問題になるからである。そこで、具体的に例えば、［フォーマル］、［パーティー］、［勤務］、［パブリック］、［スポーツ］、［プライベート］の順番で、前者ほど優先度が高くなるように設定する。なお、この「場面」の優先度の順番は、ユーザが自由に決定することが可能なものであってもよいし、予め設定されているものであってもよい。
【００７１】
ところで、上記の場面の中で、［パブリック］とは、電車や都市部など、周囲に不特定多数の者が存在するとともに、それらの者が習慣的に小綺麗な服装をしており、公共性が強い「場面」である。一方、［プライベート］とは、自宅内や自家用車内、商店街等がある下町地域など、周囲に誰もいないか近親者しかいない、または、周囲の者が習慣的に自宅内と同様の服装をしている、公共性が弱い「場面」である。
【００７２】
上記のように「場面」を分類すると、電車による「移動」や都市部での「買い物」などが選択対象期間に含まれている場合（例えば、図４に例示するスケジュールデータの［１１／３］）、衣類選択部１５が、小綺麗な服装を成す衣類を選択することになる。そのため、ユーザが［ジャージ］などの不適合な衣類を着用して電車に乗ったり、都市部に買い物に行ったりすることを、防止することができる。
【００７３】
一方、電車による「移動」や都市部での「買い物」などが選択対象期間に含まれていない場合（例えば、図４に例示するスケジュールデータの［１１／４］）、衣類選択部１５は、小綺麗な服装を成す衣類を選択しないことになる。そのため、ユーザが［ジャージ］などのラフな衣類を着用することを、許容することができる。
【００７４】
次に、衣類選択部１５は、スケジュールデータ及び選択履歴データを参照して、選択対象期間中に行われる「イベント」で会う「相手」の中で、選択対象期間よりも前の第１期間以内（例えば、一ヶ月以内）に会った「相手」がいるか否かを確認する。そして、選択対象期間中に行われる「イベント」で会う「相手」の中で、第１期間以内に会った「相手」がいれば、当該第１期間以内で当該「相手」と会ったときに着用していなかった衣類を選択候補に残し、それ以外の衣類を選択候補から除外する（ステップ＃６）。
【００７５】
具体的に例えば、図４に例示するスケジュールデータ及び図５に例示する選択履歴データが得られており、［１１／２］が選択対象期間である場合を想定する。この場合、衣類選択部１５は、ユーザが、選択対象期間に会う［Ｘ社のＹ］と、第１期間以内である［１０／３０］にも会っていることを確認すると、その［１０／３０］に着用していた衣類である［スーツ］の［１］及び［シャツ］の［３］を、選択候補から除外する。これにより、特定の「相手」と会うときに、いつも同じ服装であるという事態が発生することを、防止することができる。
【００７６】
このとき、選択候補からの除外の対象とするか否かを、衣類の「種別」に応じて異ならせてもよい。具体的に例えば、［シャツ］は選択候補からの除外の対象とするが、［スーツ］は選択候補からの除外の対象としない、として扱ってもよい。また、特定の「相手」に会った第１期間以内の全ての機会でユーザが着用していた衣類を選択候補から除外してもよいし、直近の１回（または複数回）の機会でユーザが着用していた衣類のみを選択候補から除外してもよい。
【００７７】
次に、衣類選択部１５は、上述したステップ＃２〜＃６と同様の方法で、選択対象期間よりも後の第２期間（例えば、選択対象期間に着用した衣類の洗濯が終了して再び着用可能になるまでの期間、具体的には２日等の数日間）中における選択候補を求め、後述するステップ＃８と同様の方法により、第２期間中にユーザが着用するべき衣類を選択する。そして、衣類選択部１５は、ここで選択しなかった衣類を選択候補に残し、それ以外の衣類を選択候補から除外する（ステップ＃７）。
【００７８】
これにより、選択対象期間中にユーザが着用するべき衣類を衣類選択部１５が選択することによって（後述するステップ＃８）、当該選択対象期間後の第２期間中にユーザが着用するべき衣類を衣類選択部１５が選択することが不可能になることを、防止することができる。なお、このステップ＃７の動作は、必ずしも毎回行う必要はない。例えば、選択対象期間における最も優先度が高い「場面」と、第２期間中の少なくとも一つの所定期間（将来の選択対象期間）における最も優先度が高い「場面」と、が一致するなどして、選択対象期間と第２期間とで選択する衣類が重複する蓋然性が高い場合に限って、このステップ＃７の動作を行なってもよい。
【００７９】
最後に、衣類選択部１５は、残った選択候補の中から衣類を選択し、当該衣類を示す選択衣類データを生成する（ステップ＃８）。このとき、衣類選択部１５は、例えばデータベース１４に記録されている服装のコーディネート方法（具体的に例えば、好適または不適な「種別」の組み合わせや、好適または不適な「色」及び「柄」の組み合わせなど）を参照して、衣類の選択を行なってもよい。
【００８０】
以上のように、衣類選択システム１では、選択対象期間において着用可能な状態の衣類を選択するため、実現可能であり有用な衣類の選択結果を得ることができる。
【００８１】
なお、図６に示すステップ＃３〜＃７の動作の順番は一例に過ぎないため、これらの順番を入れ替えてもよい。
【００８２】
＜変形等＞
［１］  ユーザが一人である場合における衣類選択システム１について説明したが、ユーザは複数人であってもよい。具体的に例えば、衣類選択システムのユーザが、同居家族の構成員や、貸衣装屋に登録された会員などであってもよい。
【００８３】
この場合、図２の衣類データにおいて、衣類毎に着用可能者（または、性別や体型等の着用可能条件）を規定すればよい。さらに、図６のステップ＃３〜＃７の間において、衣類選択部１５が、衣類を選択する対象のユーザが着用可能者である（または、着用可能条件を満たす）衣類を選択候補に残し、それ以外の衣類を選択候補から除外するという動作を行えばよい。
【００８４】
［２］  図６のステップ＃８において、例えば下半身に着用する衣類が存在しないなど、「服装」を構成するために必要不可欠な衣類が選択候補中に存在しないことから、衣類の選択が不可能な状態に陥ることが生じ得る。この場合、衣類選択部１５が、ステップ＃３〜＃７のいずれかの要件を緩和または廃止して、衣類の選択をやり直してもよい。
【００８５】
さらにこのとき、衣類選択部１５が、衣類が不足していることユーザに報知するためのデータ（例えば、不足している衣類の「種別」を表示するデータ）を生成して、出力部１６に入力してもよい。これにより、ユーザに対して、不足している衣類の追加（購入）を促すことができる。
【００８６】
［３］  図６のステップ＃８において、衣類選択部１５が、複数の「服装」（衣類の組み合わせ）を選択してユーザに対して提案し、最終的な選択についてはユーザに委ねてもよい。ただし、衣類選択部１５が選択履歴データを生成するために、ユーザに対して最終的な選択結果の入力を要求すると、好ましい。
【産業上の利用可能性】
【００８７】
本発明の衣類選択システムは、例えばパソコンや携帯端末などを利用して、ユーザに対して場面に適合した服装を成す衣類を選択して提案するシステムに、好適に利用することができる。
【符号の説明】
【００８８】
１      ：  衣類選択システム
１１    ：  気象データ生成部
１２    ：  衣類データ生成部
１３    ：  スケジュールデータ生成部
１４    ：  データベース
１５    ：  衣類選択部
１６    ：  出力部
【図１】
2014164454.tif 000003
【図２】
2014164454.tif 000004
【図３】
2014164454.tif 000005
【図４】
2014164454.tif 000006
【図５】
2014164454.tif 000007
【図６】
2014164454.tif 000008